(57)【要約】【課題】厚紙製の外カップと薄肉の合成樹脂製の内カップとよりなる多重カップに、再生紙よりなる厚紙の使用を可能とし、しかも完全な密封性、防水性、耐熱性等を保持でき、内カップのデザインの変更も容易に可能な多重カップを提供すること。【解決手段】厚紙製の外カップ１内に薄肉の合成樹脂製の内カップを挿入し、外カップ１の内周面１０に、内カップ２の胴部５に周方向に間隔を存して形成した稜部９を当接させ、外カップと内カップ２との間に、周方向において区分された複数の断熱空間１２を形成した。【選択図】図１
2004244075.tif 000002
【特許請求の範囲】
【請求項１】
少なくとも１個の厚紙製の外カップ内に、少なくとも１個の薄肉の合成樹脂製の内カップが挿入され、
前記外カップの内周面と、前記内カップの外周面との間に、周方向において区分された複数の断熱空間が形成されている
多重カップ。
【請求項２】
外カップが、周壁下縁より上位に底壁を形成され、内カップの底壁が外カップの底壁で受支されている請求項１記載の多重カップ。
【請求項３】
少なくとも１個の厚紙製の外カップが、横断面で、円、楕円のうちから選ばれた略截頭逆円錐体であり、該外カップの内周面に接する薄肉の合成樹脂製の内カップが、横断面で略截頭逆角錐体であり、角錐の稜部において外カップの内周面に当接している
請求項１または請求項２記載の多重カップ。
【発明の詳細な説明】
【０００１】
【発明の属する技術分野】
本発明は、アイスクリームのごとき冷菓、コーヒーや紅茶のごとき加熱飲料或はインスタントスープや即席麺のごとく熱湯を注入して食用に供する食品等の容器に使用される厚紙と薄肉の合成樹脂とで構成された断熱性を有する多重容器の改良に関する。
【０００２】
【従来の技術】
従来の厚紙を主材とした断熱性のカップ類としては、紙製のカップ本体の側壁の外側に、断熱層を内側に重ねて固定したライナー紙を重ねて取り付ける等の複雑な構造が採用されている。（特許文献１参照）
【０００３】
【特許文献１】
特開平１１−２７８４５５号公報（第２、３頁、図２参照）
【０００４】
【発明が解決しようとする課題】
前述の従来の断熱性カップの構造では、カップ本体が紙製であり、完全な密封性、防水性、ガスバリヤ性、耐熱性、電子レンジ対応性、或はロングライフの可能性等の面で不十分であるのみでなく、内側容器たるカップ本体の形状変更の自由度も少ないと共に、再生紙等の使用も不可能のため、紙カップ専用紙を使用せざるを得ない等の諸問題を有している。
【０００５】
【課題を解決するための手段】
前記従来の断熱カップが有する問題点に鑑み、本件請求項１の発明では、多重カップを、少なくとも１個の厚紙製の外カップ内に、少なくとも１個の薄肉の合成樹脂製の内カップを挿入し、前記外カップの内周面と前記内カップの外周面との間に、周方向において区分された複数の断熱空間を形成したという簡単な構成とし、内容物の充填される内カップに完全な密封性、防水性、ガスバリヤ性、耐熱性、電子レンジ対応性、内容物のロングライフの可能性並びに各特性の度合等を、合成樹脂の種別の選定、厚さの選定等により自由に選定し、種々の用途に使用できるのみでなく、完全な密封性、防水性、ガスバリヤ性に保持により、外カップ用紙として再生紙の使用をも可能とした。
【０００６】
また内カップを合成樹脂製とすることにより、金型の変更により形状変更の自由度を大きくすることを可能とし、厚紙製の外カップの強度によって、多重カップ全体の強度を補強することにより内カップの薄肉化も可能とすると共に、外カップと内カップ間に、周方向に区分されて形成された複数の断熱空間により、内容物の保全、保温並びに手指による把持時の断熱効果の保持も可能とした。
【０００７】
請求項２の発明では、請求項１の発明に、外カップの底壁を、周壁下縁より上位に形成し、内カップの底壁を、外カップの底壁で受支させるという構成を付加させることにより、多重カップを静置させた際の断熱効果を向上させた。
【０００８】
請求項３の発明では、請求項１または請求項２の発明に、少なくとも１個の厚紙製の外カップが、横断面で、円、楕円のうちから選ばれた略截頭逆円錐体であり、該外カップの内周面に接する薄肉の合成樹脂製の内カップが、横断面で略截頭逆角錐体であり、角錐の稜部において外カップの内周面に当接しているという構成を付加することにより、角錐の稜部の存在により内カップの強度、該稜部に接する外カップの強度を向上させ、従って薄肉の合成樹脂で内カップが形成されていても、カップ胴部に作用する自動充填、密封等の作業時の押圧力、搬送、保管時の押圧力、手指による把持時の押圧力等による変形、内容物の噴出等を良好に防止でき、更には、稜線間の広い断熱空間の存在と外カップと内カップとの接触部分が稜線部分であることにより、内カップの内容物から外カップへの熱伝導部分の狭小化、伝熱損失の微少化等を図りうるようにした。
【０００９】
【発明の実施の形態】
図１及び図２は、請求項１、請求項２及び請求項３の各発明を併せ適用した実施の一例を示しており、厚紙紙製の外カップ１内に薄肉の合成樹脂の内カップ２が挿入された二重カップ３の実施例であり、外カップ１は、胴部４が截頭逆円錐体とされ、内カップ２は胴部５が截頭逆正六角錐体とされているが、外カップ１は、印刷物等の施された外装体の添接された二重構造でもよく、同じく内カップ２は、内容物への溶剤等の溶出を防止するための内装体が添接された二重構造でもよいことは勿論である。
【００１０】
前記外カップ１は、底壁６が、胴部４の周壁下端７より上位に形成されており、内カップ２の底壁８が底壁６で受支され、底壁６の中央部分に接着剤等で固定されている。
【００１１】
図示例の内カップ２の胴部５は、截頭逆正六角錐体とされ、その全稜部９で外カップ１の胴部４の内周面１０に当接させられている。
【００１２】
図示例の外カップ１は、請求項３の発明の実施により横断面円形とされているが、横断面楕円形でも良く、その際の内カップ２も外カップ１の横断面の楕円形に対応する楕円形の横断面形状とされる。
【００１３】
なお、請求項１及び請求項２の発明では、外カップ１及び内カップ２の横断面形状には、格別の限定が無いので、任意の横断面形状を採用しうることは勿論であり、周方向において区分された複数の断熱空間１２を、角錐の稜部９に代えて、図４に示すごとく内カップ２の周面の均等間隔を存した複数の母線位置から、半径方向外側へ突出させた縦リブ１８を、外カップ１の内周面１０に当接させることにより形成してもよい。
【００１４】
また図示実施例では内カップ２の６個の全稜部９の全長において、外カップ１の内周面１０に当接し、この稜部９の当接部位により、外カップ１の内周面１０と内カップ２の外周面１１との間に６個の断熱空間１２が周方向において区分されて形成されている。
【００１５】
請求項１及び請求項２の発明では、既述のごとく、外カップ１及び内カップ２の横断面形状には格別の限定が無く、任意の横断面形状、例えば円筒形の外カップ内に角筒形の内カップを嵌挿し、角筒の稜部で外カップと内カップとの間の断熱空間を周方向に４区分した構造とか、円筒形の内カップの外周面の複数個所に、その全高にわたり、外側方への張り出した突起部を形成し、円筒形の外カップに嵌挿し、断熱空間を周方向に複数区分した構造等任意構造を採用しうることは勿論である。
【００１６】
合成樹脂製の内カップ２の開口部１２は合成樹脂フィルムの溶着、接着等により密封される。
【００１７】
図３は別の実施例たる多重カップ１３の開口部分の部分断面図であり、内カップ１４の開口周縁のカール部１５により外カップ１６の上縁のカール部１７を掩蔽した例である。
【００１８】
なお、外カップと内カップとは、用途に応じホットメルトタイプの接着剤等により稜部等において接着されることもあることは勿論である。
【００１９】
【発明の効果】
請求項１の発明によると、内容物の充填される内カップが薄肉の合成樹脂製であり、完全な密封性、防水性、ガスバリヤ性、耐熱性、電子レンジ対応性、内容物のロングライフの維持並びにその特性の度合等を合成樹脂の種類の選定、内厚の選定等により、需要に応じて自由に選定できる効果を奏しうる。
【００２０】
また、外カップの内周面と内カップの外周面との間に、周方向に区分された複数の断熱空間が形成されているので、内容物に対する断熱効果、把持時における手指に対する断熱効果を十分に発現させうる効果も有する。
【００２１】
更に、内カップが薄肉の合成樹脂製であり、金型を用いた圧空成形、真空成形で多量生産でき、該内カップの形状の変更も、金型の変更によって容易に行いうるので、内カップの形状変更の自由度を著しく大きくしうる効果と、厚紙製の外カップの強度により、多重カップとしての強度を補強することとなり、内カップの十分な薄肉化を可能とし、その際の密封性、ガスバリヤ性等の特性の維持も可能とする効果も有する。
【００２２】
薄肉の合成樹脂製の内カップが、多重カップに要求される各種特性を発現し、維持しうる結果として外カップは、主として多重容器の形態の維持、強度の保持を分担することとなり、外カップの材質として、再生紙の使用を可能とする効果も奏する。
【００２３】
請求項２の発明の付加により、請求項１に記載の多重カップを、内容物の充填された状態で平坦面に静置した際の、内カップ底壁の断熱効果を十分に発現させうる効果を付加させうる効果を奏する。
請求項３の発明を、請求項１または請求項２に記載の多重カップに付加することにより、少なくとも１個の厚紙製の外カップが横断面で、円、楕円のうちから選ばれた略截頭逆円錐体であり、該外カップの内周面に接する薄肉の合成樹脂製の内カップが、横断面で略截頭逆角錐体であり、角錐の稜部において前記外カップの内周面に当接していることとなり、角錐の稜部の存在により、内カップの内向き押圧に対する強度、その反力による外カップの内向き押圧に対する形態維持強度を共に向上させる効果を奏する。
【００２４】
その結果として、薄肉の合成樹脂で内カップが形成されていても、カップ胴部が作用する自動充填、密封等の作業時の押圧力、搬送、保管時の押圧力、手指による把持時の押圧力等に起因する変形、内容物の噴出等を防止できる効果を奏する。
【００２５】
また前記外カップと内カップとの接触部分が内カップの稜線部分であることにより、両カップ間の稜線部分間に互いに周方向において区分された広い断熱空間が連続して存在することとなり、内カップに充填されている内容物から外カップへの熱伝導部分の狭小化、伝熱損失の微少化等を図りうる効果も奏する。
【図面の簡単な説明】
【図１】実施の一例の平面図である。
【図２】図１中のＸ−Ｘ線部分を半截縦断面として示した側面図である。
【図３】別の実施例の周壁上部のみの略示縦断面図である。
【図４】円錐体形状の多重カップに、請求項１及び請求項２の両発明を適用した別の実施例の横断面である。
【符号の説明】
１  外カップ
２  内カップ
３  多重カップ
４、５  胴部
６、８  底壁
９  稜部
１０  内周面
１２  断熱空間
【図１】
2004244075.tif 000003
【図２】
2004244075.tif 000004
【図３】
2004244075.tif 000005
【図４】
2004244075.tif 000006